(57)【要約】【課題】遊技制御基板アセンブリとその取付部との間を封印する封印シールに対する不正なアクセスを効果的に防止し、遊技制御基板アセンブリを奪取する等の不正行為を極めて困難にする封印構造を提供する。【解決手段】主制御基板１００を基板ケースに収容した主制御基板アセンブリ２００と、その取付部３００との間を封印する封印シール３２０を覆うように封印カバー部材４００を装着する。封印カバー部材には、固定ネジ４９０を収容する封止孔４１０が凹設され、固定ネジで取付部に締結された後、内部係合する封止キャップ４５０により封止孔が封止される。離脱不能に装着された封印カバー部材により、封印シールを確実に保護する。【選択図】図６
2007312916.tif 000002
【特許請求の範囲】
【請求項１】
所要の電子回路を装備した遊技制御基板をケース本体と該ケース本体に対向閉塞されるケース蓋体とからなる基板ケースに収容する遊技制御基板アセンブリの封印構造であって、
遊技機筐体に固設される取付部側に前記ケース本体を配置し、
前記ケース蓋体の一端部と前記取付部の一部とに跨って封印シールを貼着し、
前記封印シールを覆う封印カバー部材を前記取付部に装着してなることを特徴とする遊技制御基板アセンブリの封印構造。
【請求項２】
前記封印カバー部材には、底部にネジ孔を有する筒状の封止孔が凹設され、前記ネジ孔に挿通させた固定ネジで前記底部を前記取付部に締結した後、前記封止孔に内部係合する封止キャップで当該封止孔を封止することで、前記封印カバー部材を前記取付部に離脱不能に装着することを特徴とする請求項１に記載の遊技制御基板アセンブリの封印構造。
【請求項３】
前記封印カバー部材には、前記封印シールの表面状態を拡大表示させる拡大表示手段が少なくとも１箇所に設けられていることを特徴とする請求項１又は２に記載の遊技制御基板アセンブリの封印構造。
【請求項４】
前記少なくとも１箇所の拡大表示手段の焦点は、前記封印シールが跨って貼着される前記ケース蓋体の一端部と前記取付部の一部との境界線上に位置していることを特徴とする請求項３に記載の遊技制御基板アセブリの封印構造。
【請求項５】
所要の電子回路を装備した遊技制御基板をケース本体と該ケース本体に対向閉塞されるケース蓋体とからなる基板ケースに収容する遊技制御基板アセンブリを、遊技機筐体に固設される取付部に取り付けて封印する遊技機であって、
前記取付部側に前記ケース本体を配置し、
前記ケース蓋体の一端部と前記取付部の一部とに跨って封印シールを貼着し、
前記封印シールを覆う封印カバー部材を前記取付部に装着してなる封印構造を備えていることを特徴とする遊技機。
【請求項６】
前記封印カバー部材には、底部にネジ孔を有する筒状の封止孔が凹設され、前記ネジ孔に挿通させた固定ネジで前記底部を前記取付部に締結した後、前記封止孔に内部係合する封止キャップで当該封止孔を封止することで、前記封印カバー部材を前記取付部に離脱不能に装着することを特徴とする請求項５に記載の遊技機。
【請求項７】
前記封印カバー部材には、前記封印シールの表面状態を拡大表示させる拡大表示手段が少なくとも１箇所に設けられていることを特徴とする請求項５又は６に記載の遊技機。
【請求項８】
前記少なくとも１箇所の拡大表示手段の焦点は、前記封印シールが跨って貼着される前記ケース蓋体の一端部と前記取付部の一部との境界線上に位置していることを特徴とする請求項７に記載の遊技機。
【発明の詳細な説明】
【技術分野】
【０００１】
本発明は、スロットマシン、パチンコ機等の遊技機を制御するための遊技制御基板を基板ケースに収容密封した遊技制御基板アセンブリの封印構造及びこれを備えた遊技機に関し、特に、遊技制御基板アセンブリの不正な開放、奪取またはすり替え等の不正行為を防止するのに適した封印構造に関するものである。
【背景技術】
【０００２】
一般に、スロットマシンやパチンコ機などの遊技機は、ＣＰＵ、ＲＯＭ、ＲＡＭなどの電子部品が実装されたマイコンを搭載する遊技制御基板により、リールの回転動作、メダルの払い出し、入賞の発生確率などを制御している。また、主制御基板の他にも、出玉に関する実質的な制御をサブの副制御基板により行うものもある。
【０００３】
従来、かかる遊技機においては、遊技制御基板のプログラムを記憶するＲＯＭを不正なものに交換したり、外部から遊技制御基板に対し不正な信号を付与等することにより、本来とは異なる適正ではない遊技を実行させるといった不正行為が問題となっている。このため、遊技制御基板は、通常透明なプラスチックからなる基板ケースに収容され、「かしめ」と呼ばれる特殊な係合手段を用いて基板ケースを閉鎖し、容易には開放できないようにしている。また、仮に開放された場合でも、その破壊痕跡が残り、不正行為の発見を容易にしている（例えば特許文献１参照）。
【０００４】
こうしてアセンブリ化された基板ケース（遊技制御基板アセンブリ）は、ケース本体と、このケース本体に対向するケース蓋体とを跨いで紙または樹脂のフィルムシートからなる封印シールが貼着され、これらケース部材を封印する技術が開示されている（例えば特許文献２参照）。
【０００５】
また、遊技機の筐体に固設した取付部と、それに取り付けられる基板ケースとの間に同様の封印シールを貼着する封印構造も実用化されており、遊技制御基板を遊技制御基板アセンブリ（基板ケース）ごと持ち去ったり、ないしは改造したものにすり替える等の不正行為について、封印シールが剥離または切断された痕跡により迅速に発見できるようにしている。
【０００６】
【特許文献１】特開２００４−２０９２３８号公報
【特許文献２】特開平１０−２４９０２４号公報
【発明の開示】
【発明が解決しようとする課題】
【０００７】
しかし、従来の遊技制御基板アセンブリにおいて上述した封印シールを用いた封印構造のみでは、例えば封印する部材間の僅かな隙間に鋭利な刃物等を侵入させることが可能であり、封印シールが目立たないように切断されると、その不正行為の発見が遅れるといった問題が生じていた。
【０００８】
本発明は、こうした従来の問題に鑑みてなされたものであり、遊技制御基板を収容する遊技制御基板アセンブリとその取付部との間を封印する封印シールに対する不正なアクセスを効果的に防止し、遊技制御基板アセンブリの不正な奪取やすり替え等の行為を極めて困難にする等の封印構造及びその封印構造を備えた遊技機を提供することを目的としている。
【課題を解決するための手段】
【０００９】
上述した課題を解決するため、請求項１に記載の発明は、所要の電子回路を装備した遊技制御基板をケース本体と該ケース本体に対向閉塞されるケース蓋体とからなる基板ケースに収容する遊技制御基板アセンブリの封印構造であって、遊技機筐体に固設される取付部側に前記ケース本体を配置し、前記ケース蓋体の一端部と前記取付部の一部とに跨って封印シールを貼着し、前記封印シールを覆う封印カバー部材を前記取付部に装着してなることを特徴とする。
【００１０】
請求項１に記載の遊技制御基板アセンブリの封印構造によれば、ケース蓋体の一端部と取付部の一部とに跨って貼着されている封印シールに対する不正なアクセスを効果的に防止する。これにより、遊技制御基板アセンブリごと遊技機筐体の取付部から奪取する等の不正行為の実行を極めて困難にする。
【００１１】
請求項２に記載の発明は、請求項１に記載の遊技制御基板アセンブリの封印構造であって、前記封印カバー部材には、底部にネジ孔を有する筒状の封止孔が凹設され、前記ネジ孔に挿通させた固定ネジで前記底部を前記取付部に締結した後、前記封止孔に内部係合する封止キャップで当該封止孔を封止することで、前記封印カバー部材を前記取付部に離脱不能に装着することを特徴とする。
【００１２】
請求項２に記載の遊技制御基板アセンブリの封印構造によれば、ケース蓋体の一端部と取付部の一部とに跨って貼着されている封印シールに対する不正なアクセスを効果的に防止して、遊技制御基板アセンブリごと遊技機筐体の取付部から奪取する等の不正行為の実行を極めて困難にする。また、封止キャップを破壊しなければ封印カバー部材を取り外して封印シールを剥離、切断することができず、遊技制御基板アセンブリのすり替え等の不正行為の事実をその破壊痕跡により迅速に発見可能とする。
【００１３】
請求項３に記載の発明は、請求項１又は２に記載の遊技制御基板アセンブリの封印構造であって、前記封印カバー部材には、前記封印シールの表面状態を拡大表示させる拡大表示手段が少なくとも１箇所に設けられていることを特徴とする。
【００１４】
請求項３に記載の遊技制御基板アセンブリの封印構造によれば、封印シールの表面状態を拡大表示させることで封印シールの表面状態を詳細に目視確認できるので、不正行為の発見を迅速かつ確実にし、封印シールに対する不正を防止する。また、封印シールの印刷文字（例えば識別番号等の管理情報）を目視確認を容易にする。
【００１５】
請求項４に記載の発明は、請求項３に記載の遊技制御基板アセンブリの封印構造であって、前記少なくとも１箇所の拡大表示手段の焦点は、前記封印シールが跨って貼着される前記ケース蓋体の一端部と前記取付部の一部との境界線上に位置していることを特徴とする。
【００１６】
請求項４に記載の遊技制御基板アセンブリの封印構造によれば、封印シールを鋭利な刃物で切断する等の不正が行われる可能性が高い、ケース蓋体の一端部と取付部の一部との境界線上に拡大表示手段の焦点を合わせたので、かかる不正行為の発見を迅速かつ確実にし、不正を防止する。
【００１７】
請求項５に記載の発明は、所要の電子回路を装備した遊技制御基板をケース本体と該ケース本体に対向閉塞されるケース蓋体とからなる基板ケースに収容する遊技制御基板アセンブリを、遊技機筐体に固設される取付部に取り付けて封印する遊技機であって、前記取付部側に前記ケース本体を配置し、前記ケース蓋体の一端部と前記取付部の一部とに跨って封印シールを貼着し、前記封印シールを覆う封印カバー部材を前記取付部に装着してなる封印構造を備えていることを特徴とする。
【００１８】
請求項５に記載の遊技機によれば、ケース蓋体の一端部と取付部の一部とに跨って貼着されている封印シールに対する不正なアクセスを効果的に防止する。これにより、遊技制御基板アセンブリごと遊技機筐体の取付部から奪取する等の不正行為の実行を極めて困難にする。
【００１９】
請求項６に記載の発明は、請求項５に記載の遊技機であって、前記封印カバー部材には、底部にネジ孔を有する筒状の封止孔が凹設され、前記ネジ孔に挿通させた固定ネジで前記底部を前記取付部に締結した後、前記封止孔に内部係合する封止キャップで当該封止孔を封止することで、前記封印カバー部材を前記取付部に離脱不能に装着することを特徴とする。
【００２０】
請求項６に記載の遊技機によれば、ケース蓋体の一端部と取付部の一部とに跨って貼着されている封印シールに対する不正なアクセスを効果的に防止して、遊技制御基板アセンブリごと遊技機筐体の取付部から奪取する等の不正行為の実行を極めて困難にする。また、封止キャップを破壊しなければ封印カバー部材を取り外して封印シールを剥離、切断することができず、遊技制御基板アセンブリのすり替え等の不正行為の事実をその破壊痕跡により迅速に発見可能とする。
【００２１】
請求項７に記載の発明は、請求項５又は６に記載の遊技機であって、前記封印カバー部材には、前記封印シールの表面状態を拡大表示させる拡大表示手段が少なくとも１箇所に設けられていることを特徴とする。
【００２２】
請求項７に記載の遊技機によれば、封印シールの表面状態を拡大表示させることで封印シールの表面状態を詳細に目視確認できるので、不正行為の発見を迅速かつ確実にし、封印シールに対する不正を防止する。また、封印シールの印刷文字（例えば識別番号等の管理情報）を目視確認を容易にする。
【００２３】
請求項８に記載の発明は、請求項７に記載の遊技機であって、前記少なくとも１箇所の拡大表示手段の焦点は、前記封印シールが跨って貼着される前記ケース蓋体の一端部と前記取付部の一部との境界線上に位置していることを特徴とする。
【００２４】
請求項８に記載の遊技機によれば、封印シールを鋭利な刃物で切断する等の不正が行われる可能性が高い、ケース蓋体の一端部と取付部の一部との境界線上に拡大表示手段の焦点を合わせたので、かかる不正行為の発見を迅速かつ確実にし、不正を防止する。
【発明の効果】
【００２５】
本発明の遊技制御基板アセンブリの封印構造及び遊技機によれば、遊技機筐体の取付部に跨って遊技制御基板アセンブリを封印する封印シールに対する不正なアクセスを効果的に防止することができる。これにより、遊技制御基板アセンブリごと奪取しまたはすり替える等の不正行為の実行を極めて困難にする。
【００２６】
また、封止キャップを破壊しなければ封印カバー部材を取り外して封印シールを剥離、切断することができないため、遊技制御基板アセンブリに対する不正行為の事実をその破壊痕跡により迅速に発見することができる。
【００２７】
また、封印カバー部材に拡大表示手段（レンズ）を設けることで、封印シールの表面状態を拡大して目視させ、不正を防止することができる。また、封印シールに記載された管理情報等の文字を視認しやすくする。
【発明を実施するための最良の形態】
【００２８】
以下、本発明に係る遊技機の実施形態としてスロットマシン１を例に図面を参照しながら説明する。図１は、本発明の一つの実施形態によるスロットマシン１の外観構造を表した正面図、図２は、前扉３を開いた状態でスロットマシン１の内部構造を表した図である。
【００２９】
まず、図１を参照し、スロットマシン１は、遊技者に面するいわゆるフロントマスクが形成された前扉３が、略矩形状の箱体である筐体２の開口に対し図示しない蝶番機構により開閉可能に取り付けられている。フロントマスクは、上から上パネル部、中パネル部、下パネル部に概ね分けられ、これらは化粧板として視覚効果を高めてデザインされた硬質プラスチックにより一体的に形成されている。また、下パネル部の下方には、メダルを貯留するための受け皿４ａを備える受皿ユニット４が設けられている。
【００３０】
上パネル部には、高輝度の発光ダイオードを内蔵した上部ランプ５等の効果ランプ（フィーバーランプ）が配置され、リーチや大当たり等の際に点灯または点滅して遊技者の視覚に訴える演出を行っている。また、上パネル部の左右位置には、それぞれスピーカを内蔵した放音部６ａ、６ｂが設けられ、効果音や楽音等によるゲームの演出を行っている。更に、各放音部６ａ、６ｂに挟まれる中央位置には、液晶表示ユニット７が配設されている。
【００３１】
なお、液晶表示ユニット７は、ゲームの進行に応じて適宜選択される動画像を表示して当該ゲームにストーリー性を与えたり、また、ボーナスゲーム等の大当たりの際には、よりダイナミックな画像が表示されて、遊技者に高配当の期待感を引き起こしたりする等の演出を行っている。
【００３２】
中段の中パネル部には、その左右の位置に、上述した発光ダイオードを内蔵する効果ランプのひとつであるサイドランプ９ａ、９ｂが配置されている。
【００３３】
また、中パネル部の前面中央には、略長方形の透明な表示窓８ａが形成された中パネル板８が取り付けられている。そして、この表示窓８ａを通して、筐体内に設けられている円筒状の３個のリール１０ａ、１０ｂ、１０ｃを遊技者が目視できるように構成されている。
【００３４】
なお、各リール１０ａ、１０ｂ、１０ｃの周面には、複数の異なる種類を含む例えば２１個の図柄（図示略）がほぼ等間隔で配列され、表示窓８ａに臨む縦３個、横３列の図柄が当該表示窓を通して遊技者に視認されるようになっている。また、図示はしていないが中パネル板８の前面適宜の位置には、内部当選した役を告知する告知表示部や、クレジット残数等を表示する数値表示部等の遊技情報表示部が形成されている。
【００３５】
中パネル板８の下方には、前方に若干突出した操作卓と呼ばれる卓状部が形成され、ここには、ゲームに使用するメダルを投入するための投入口を有するメダル投入部１１、ゲームの操作を指示するためのベットボタン１２、スタートレバー１３、及び３個のストップボタン１４ａ、１４ｂ、１４ｃ等が配設されている。
【００３６】
ベットボタン１２は、ゲームに賭けるメダルの枚数を提示するための押圧式のボタンスイッチである。スタートレバー１３は、リール１０ａ、１０ｂ、１０ｃを一斉に回転させる指示をするためのレバースイッチであり、先端に球形の操作ノブを有するレバーを上下左右の何れかの方向に傾倒操作するとオン作動し、レバーから手が離されるとスプリングの付勢力によって自動的に元の位置に戻ってオフ作動するように構成されている。
【００３７】
ストップボタン１４ａ、１４ｂ、１４ｃは、各リール１０ａ、１０ｂ、１０ｃの回転停止を個別に指示するための押圧式のボタンスイッチであり、各リールの配列に対応してそれぞれ並設されている。
【００３８】
フロントマスクの下パネル部を構成する下パネル１５には、スロットマシン１のモデルタイプ等を遊技者へ認識させるための、例えば登場キャラクターの絵柄（図示略）などが印刷されて表示されている。
【００３９】
前扉３の最下部に設けられた受皿ユニット４には、入賞配当等によりメダルを払い出すメダル払出口１６と、スピーカを内蔵しゲームの進行に応じて演出効果音を発生させる放音部１７がそれぞれ配設されている。
【００４０】
次に、図２を参照して、スロットマシン１の内部構造を説明する。まず、筐体２側内部の上部位置には、スロットマシン１の全体動作を統括制御するメインの遊技制御基板である主制御基板１００を、透明な基板ケースに収容した主制御基板アセンブリ２００が取り付けられている。
【００４１】
詳細は後述するが、主制御基板アセンブリ２００は、筐体２の背板２ａに固設された取付ブラケット（取付部）３００を介して容易には離脱できないように取り付けられるとともに、封印シール３２０を介して封印されている。すなわち、主制御基板アセンブリ２００が取付ブラケット３００から不正に取り外された場合には、封印シール３２０が切断若しくは剥離され、これによりその外された痕跡を残すようにしている。
【００４２】
また、本スロットマシン１によれば、封印シール３２０を覆うように封印カバー部材４００が離脱不能に装着され、主制御基板アセンブリ（基板ケース）２００ごと奪取される等の不正行為の実行をより困難にしている。
【００４３】
筐体２内のほぼ中央には、３個のリール１０ａ、１０ｂ、１０ｃを軸方向に並設してユニット化したリールユニット１０が、前扉３側に形成された上述の表示窓８ａに対向して所定のフレーム２２に固定されている。
【００４４】
なお、リールユニット１０の上部には図示しない回動装置基板が取り付けられている。回動装置基板は、主制御基板１００からの回転駆動パルスデータを中継し電流増幅した回転駆動パルスを各リール１０ａ、１０ｂ、１０ｃのステッピングモータに出力することで、それぞれのリールの回転及び停止の駆動制御を行っている。
【００４５】
リールユニット１０の下方のスペースには、メダル投入部１１から投入されたメダルを貯留し入賞配当の際にメダルを払い出すホッパーユニット２３と、ホッパーユニット２３から溢れたメダルを収容するためのオーバーフロータンク２４と、スロットマシン１に内蔵される各機器へ所要の電力を配電する電源ユニット２５等が設置されている。
【００４６】
次に、前扉３の裏面側においてその上部には、上述した上部ランプ５等の光源である発光ダイオードを実装するＬＥＤ基板３１と、放音部６ａ、６ｂに対向するスピーカ３２ａ、３２ｂと、液晶表示ユニット７（図１参照）と、視聴覚的効果により主にゲームの演出制御を行うサブ制御基板５００等とを組み付けた上部パネルアセンブリ３３が取り付けられている。なお、サブ制御基板５００も上述した主制御基板１００と同様に遊技制御基板のひとつであり、透明なプラスチックケースである基板ケース６００内に収容され、前扉３の裏面から容易には離脱できないように設けられている。
【００４７】
上部パネルアセンブリ３３の下方には、リール１０ａ、１０ｂ、１０ｃを前方の遊技者に透視させる表示窓８ａが形成された中パネル板８を前面側に設け、リールを照射するための冷陰極蛍光管３４と、告知表示部や数値表示部等の発光素子を実装するランプ基板３５、３６と、スタートレバー１３やストップボタン１４ａ、１４ｂ、１４ｃ等のスイッチ類の出力を主制御基板１００へ中継する中央表示基板３７等を、それぞれ組み付けてユニット化したランプハウスユニット３８が取り付けられている。
【００４８】
ランプハウスユニット３８の下方には、メダルセレクタ３９が取り付けられている。メダルセレクタ３９は、フロントマスクのメダル投入部１１に投入されたメダルの適否を判別し振り分ける装置である。
【００４９】
メダルセレクタ３９には、メダルセンサが設けられ、メダルセレクタ３９により適正と判定されたメダルをメダルセンサが検出して、主制御基板１００へメダル受付信号を送信する。主制御基板１００は、メダル受付信号を受信する毎にクレジットを加算することで内部的にメダルを貯留する。
【００５０】
メダルセレクタ３９の下方には、フロントマスクに設けた下パネル１５と、下パネル１５を裏面から照明する蛍光管等を内蔵してユニット化した下パネルユニット４０が取り付けられている。
【００５１】
そして、下パネルユニット４０の背面側には、メダルセレクタ３９によって適正として選別されたメダルを筐体２側のホッパーユニット２３へ案内するメダルガイド部４１と、メダルセレクタ３９により不適として排除されたメダル（異物）をメダル排出口１６へ案内するフローシュート４２と、ホッパーユニット２３から払い出されたメダルをメダル排出口１６へ案内するメダル払出通路４３等が設けられている。
【００５２】
更に、下パネルユニット４０の背面下方部には、放音部１７に対向するスピーカ４４が取り付けられている。
【００５３】
かかる構成のスロットマシン１は、先のゲームにおいて入賞しメダルの払い出しが完了した時、または先のゲームにおいてハズレが確定すると待機状態となる。この状態において、ベットボタン１２が押圧操作されると、内部に貯留したメダル（クレジット）から当該ゲームにメダルが賭けられゲームが開始する。
【００５４】
ゲーム開始の状態でスタートレバー１３が傾倒操作されると、主制御基板１００はリール１０ａ、１０ｂ、１０ｃを一斉に回転させ始める。同時に入賞役を内部的な処理で抽選し、その結果をフラグ（メモリ）に記憶する。
【００５５】
次に、遊技者がストップボタン１４ａ、１４ｂ、１４ｃを任意の順番で押圧操作すると、主制御基板１００はそれに従い順次、対応するリールを停止させる。そして、主制御基板１００は、全てのリール１０ａ、１０ｂ、１０ｃが停止したことを検知すると、各リールに表示された図柄の組合せが上述のフラグに記憶された入賞役に係る図柄の組合せと一致しているか否か判定する。これらが一致したときには当該入賞が確定し、その入賞役の種類に応じた配当数のメダルをクレジットに加算する。入賞の配当によりクレジットが上限を超える場合には、ホッパーユニット２３から超過分のメダルを受皿ユニット４へ払い出す。
【００５６】
このように、スロットマシン１の遊技者は、リール１０ａ、１０ｂ、１０ｃを回転・停止させる遊技操作を行って、表示窓８ａに変動表示した図柄が揃わなければ賭けたメダルを失うが、予め定められた組合せで図柄が揃い入賞が成立すると賭けた枚数以上のメダルを獲得し得るので、技量と運とによりメダルを増やすという興趣を伴った勝敗ゲームを楽しむことができる。
【００５７】
次に、主制御基板１００を基板ケースに収容する主制御基板アセンブリ２００の構造及びその取付構造について説明する。ここで、図３は、主制御基板アセンブリ２００の分解斜視図、図４は、主制御基板アセンブリ２００が取付ブラケット３００に取り付けられた状態を表す斜視図である。なお、主制御基板アセンブリ２００は、ケース本体２１０及びケース蓋体２６０とからなる基板ケースと、基板ケースに収容される主制御基板１００とを主に有して構成される。
【００５８】
はじめに、基板ケースの一方を構成するケース本体２１０は、主制御基板１００を保持し収容する側が開口する略長方形の箱体として、透明なプラスチックにより一体的に形成されている。主制御基板１００は、ＣＰＵやＲＯＭ等の電子部品が一方の実装面に実装され、その反対面がこれら電子部品をハンダ付けするリフロー面となっており、当該リフロー面がケース本体２１０の底面に対向して、図示しない小ネジ等を介して取り付けられている。
【００５９】
ケース本体２１０の上端部には、ケース蓋体２６０とヒンジ結合するためのヒンジ軸部２１１が所定の３箇所に形成されている。また、ケース本体２１０の下端部の２箇所には、それぞれ係止孔２１２ａを有し前方に延びる係止アーム２１２が形成されている。また、下端部の所定の４箇所には、ケース蓋体２６０を再離脱不能に係合させる円筒容器状のカシメ開口部２１３が形成されている。
【００６０】
次に、ケース蓋体２６０は、ケース本体２１０に対向する側が開口する同じく略長方形の箱体として、透明なプラスチックにより一体的に形成されている。そして、ケース蓋体２６０の上端部には、上述のケース本体２１０のヒンジ軸部２１１と位置整合してヒンジ軸受部２６１が形成され、その下端部には、ケース本体２１０の係止アーム２１２に位置整合する係止突起２６２が形成されている。
【００６１】
また、ケース蓋体２６０の下端部には、ケース本体２１０のカシメ開口部２１３に対向する同様形状のカシメ開口部２６３がそれぞれ整合する位置に形成されている。また、ケース蓋体２６０の一方の側部にも、上述のものと同様形状のカシメ開口部２６４が４箇所に形成されている。
【００６２】
それぞれのカシメ開口部２６３、２６４は、ケース蓋体２６０の本体部分２６５（ケース本体２１０と対向して主制御基板１００を収容する部分）から比較的断面積の小さい片持ちの連結部を介して若干離間して一体的に形成されている。更に、カシメ開口部２６４を全て囲むようにケース蓋体２６０の本体部分２６５から突出する、正面視略矩形状の突出枠部２６６が一体形成されている。
【００６３】
ケース本体２１０とケース蓋体２６０とは、ヒンジ軸部２１１とヒンジ軸受部２６１とが嵌め合わされ、互いに開閉揺動が可能に連結される。そして、主制御基板１００を収容しケース蓋体２６０をケース本体２１０側に閉じると、係止アーム２１２の係止孔２１２ａがケース蓋体２６０の係止突起２６２に係止して仮閉塞する。
【００６４】
この状態では、ケース本体２１０とケース蓋体２６０とは容易に開放可能なため、実機へ搭載する際には、互いに対向する少なくとも１箇所の何れかのカシメ開口部２１３、２６３の対に、図３に示される係合媒体７００を挿入して内部で係合させる。こうして、これらケース部材同士を「かしめ」て再離脱不能な状態に結合し、片持ちの連結部を切断して当該カシメ開口部２６３を本体部分２６５から分離しない限り基板ケースを開放できないようにしている。これにより、基板ケースの開放が困難となり、仮に不正に開放されたとしてもその痕跡が残るようになっている。
【００６５】
主制御基板１００を収容して組み立てられた主制御基板アセンブリ２００は、取付ブラケット３００を介して、筐体２の背板２ａに取り付けられる。この取付ブラケット３００は、図３に示されるように、基板ケースを設置する平坦な前面を有する基板部３０１と、基板部３０１の左縁ないし下縁にかけて部分的に立設するリブ３０２と、基板部３０１の右縁に立設する支持台部３０３と、支持台部３０３の前面から更に前方へ突出する封印部３０４とを主に有して一体的に形成されている。
【００６６】
なお、基板部３０１は、その上端側が大きく開口して正面視略Ｕ字状に形成されており、これは取付ブラケット３００としての所要の剛性（機械的強度）を確保しつつ軽量化等を図るためである。
【００６７】
基板部３０１には、筐体２の背板２ａに固定するためのネジ孔３０５が所定の複数箇所に形成されている。また、左縁のリブ３０２の内側壁には、係合凹部３０６が上下２箇所に形成され、基板部３０１の右方の上下端部には、前方に延びる一対の係止アーム３０７が形成されている。また、基板部３０１の右方部には、上述したケース蓋体２６０のカシメ開口部２６４と対向して再離脱不能に係合させる、同じく円筒容器状のカシメ開口部３１０が形成されている。
【００６８】
主制御基板アセンブリ２００は、ケース蓋体２６０の左端部に形成した係合凸部２６７を、取付ブラケット３００の係合凹部３０６に係合させつつ突出枠部２６６の角部に、係止アーム３０７の先端の係止突起３０７ａを係止させる。これにより、主制御基板アセンブリ２００は、取付ブラケット３００に安定して保持される。
【００６９】
このとき、取付ブラケット３００のカシメ開口部３１０とケース蓋体２６０のカシメ開口部２６４の何れかの対に、上述した係合媒体７００を挿入して内部係合させる。これにより、当該カシメ開口部２６４の連結部を切断し本体部分２６５から分離しない限り、主制御基板アセンブリ（基板ケース）２００を取付ブラケット３００から取り外すことができず、不正な奪取等の実行を困難にしている。また、仮に主制御基板アセンブリ２００が改造品等にすり替え等されたとしても、カシメ開口部２６４の連結部の破壊痕跡により、その事実を迅速に発見することもできる。
【００７０】
図５に示されるように、主制御基板アセンブリ２００が取付ブラケット３００に取り付けられると、ケース蓋体２６０の突出枠部２６６が支持台部３０３に載置されるとともに、当該突出枠部２６６の前面と封止部３０４の封止面３０４ａとがほぼ同一面上に位置して隣接する。そして、正規の手順で取り付けられた主制御基板アセンブリ２００は、その突出枠部２６６と封止部３０４（封止面３０４ａ）との間に跨って、紙または樹脂のフィルムシートからなる封印シール３２０が貼着され、これにより封印される。
【００７１】
封印シール３２０は、主制御基板アセンブリ２００の脱着の痕跡を残すために、粘着力に比して破れやすい素材で作製されるが、一旦剥離すると再貼着できない粘着材（接着材）を使用するものでもよい。
【００７２】
本発明による封印部分には、封印シール３２０に対する不正なアクセスを効果的に防止するため、封印カバー部材４００が離脱不能に装着されている。以下、この封印カバー部材４００を用いた封印構造を更に説明する。なお、図６は、封印カバー部材４００が装着された封印部分（封印部３０４）の断面図である。
【００７３】
図３、図５及び図６に示されるように、取付ブラケット３００の封印部３０４には、封印カバー部材４００を装着するための係合孔３２１が封印面３０４ａの上方部に形成されるとともに、封印部３０４の下端に近い支持台部３０３に雌ネジ部３２２が螺刻されている。
【００７４】
一方、封印カバー部材４００は、封印シール３２０を覆う矩形板状のカバー部４０１と、カバー部４０１の一端側に設けられ上記係合孔３２１に挿入され係合する係合部４０２と、カバー部４０１の他端側に開口しその底部に固定ネジ４９０を挿通させるネジ孔４１１を有して筒状に凹設された封止孔４１０とを備えて一体形成されている。
【００７５】
封印カバー部材４００は、封印シール３２０がケース蓋体２６０の突出枠部２６６及び取付ブラケット３００の封止部３０４に正規に貼着された後に次のように装着される。すなわち、カバー部４０１で封印シール３２０を覆いながら一端側の係合部４０２を係合孔３２１に挿入して係合させ、他端側の封止孔４１０の底部のネジ孔４１１に固定ネジ４９０を挿入して支持台部３０３の雌ネジ部３２２に螺合して締結する。
【００７６】
固定ネジ４９０により封印カバー部材４００を固定した後、封止孔４１０には内部で係合する封止キャップ４５０が嵌め込まれ、これにより再び固定ネジ４９０を緩めて封印カバー部材４００を取り外すことができないようにしている。
【００７７】
この封止キャップ４５０は、例えば図７に示される外観形状を有してプラスチック等により一体形成されている。すなわち、封止キャップ４５０は、中空で筒状の本体４５１と、本体４５１を上部で塞ぐ頭部４５２とを有しており、下辺部のみ本体４５１と接続して逆Ｕ字状の溝４５３を介して切り離された係止突起４５４が、当該本体４５１の相互に反対側となる２箇所に形成されている。
【００７８】
係止突起４５４は、本体４５１から外方へ若干突出する通常位置から、下辺部を基端に本体４５１の内方へ弾性変形可能に形成されている。また、係止突起４５４の上面は、平坦な係止面４５４ａが形成されている。
【００７９】
図８は、図６に示した封止孔４１０に封止キャップ４５０が挿入されて係合する封止状態を拡大して表した断面図である。図８に詳細に示されるように、封止孔４１０の内壁には、所定の高さ位置において拡径する段部４１２が形成されており、封止キャップ４５０の本体４５１が封止孔４１０に挿入されると、係止突起４５４が内方へ弾性変形し、段部４１２の位置で通常位置に戻って係合する。つまり、封止孔４１０に挿入された封止キャップ４５０は、係止突起４５４の係止面４５４ａが封止孔４１０内の段部４１２に係止して抜け止めされ、固定ネジ４９０を外部から操作できないように完全に封止する。
【００８０】
こうして、封印カバー部材４００は、封印シール３２０を覆い保護する状態で取付ブラケット３００の支持台部３０３に離脱不能に装着される。これにより、封印シール３２０に対する不正なアクセスを効果的に防止することができ、主制御基板アセンブリ（基板ケース）２００ごと取付ブラケット３００から奪取する等の不正行為の実行を極めて困難にする。
【００８１】
また、封止キャップ４５０を破壊しなければ封印カバー部材４００を取り外すことができないため、封印シール３２０に対する不正アクセスや、主制御基板アセンブリ２００のすり替え等の事実をその破壊痕跡により迅速に且つ容易に発見することができる。
【００８２】
なお、本発明に関わる主制御基板アセンブリ２００は、図９に示される例による実施形態であってもよい。同図は、封印カバー部材４００'によって封印シール３２０が覆われている部分を主に表した主制御基板アセンブリ２００の正面図である。
【００８３】
同図に示されるように、封印カバー部材４００'には、単数または複数の拡大表示手段としての凸レンズ４０３が嵌着または透明な封印カバー部材４００'の本体と一体をなして形成されている。凸レンズ４０３の焦点（光軸）は、封印カバー部材４００'が取付ブラケット３００に装着された状態において、封印シール３２０が跨って貼着されるケース蓋体２６０（突出枠部２６６）と取付ブラケット３００の封印部３０４とのちょうど境界線上に位置している。更に、凸レンズ４０３の焦点が封印シール３２０の貼着位置に一致している。つまり、凸レンズ４０３の焦点距離が、封印シール３２０の貼着面（封止面３０４ａ）ないし封印カバー部材４００'のカバー部本体との離間距離と一致して設けられている。
【００８４】
この実施形態によれば、凸レンズ４０３を介して封印シール３２０の表面状態を拡大して見ることができ、その目視検査を容易にすることができる。したがって、封印シール３２０が鋭利な刃物で巧妙に切断されたとしても、例えば図９に示される拡大視ＥＸのように、封印シール３２０が切断された線Ｆが視認され易くなり、その不正行為の発見を迅速かつ確実にすることができる。また、封印シールの印刷文字（例えば識別番号等の管理情報）を目視確認を容易にすることもできる。
【産業上の利用可能性】
【００８５】
本発明は、スロットマシンの主制御基板のみならず、サブ制御基板その他の遊技制御基板、更にはパチンコ機等のマイコンにより動作制御される他の遊技機の遊技制御基板にも適用することができる。
【図面の簡単な説明】
【００８６】
【図１】本発明に係る遊技機の一つの実施形態であるスロットマシンの外観構造を表した正面図である。
【図２】図１に示したスロットマシンの内部構造を表した図である。
【図３】図１に示したスロットマシンを制御する主制御基板アセンブリ及び取付ブラケットの構造を表した分解斜視図である。
【図４】図１に示したスロットマシンを制御する主制御基板アセンブリ及び取付ブラケットの構造を表した外観斜視図である。
【図５】図３及び図４に示した取付ブラケットにケース蓋体を封印する部分を拡大して表した正面図である。
【図６】図３及び図４に示した取付ブラケットにケース蓋体を封印する部分の構造を表した断面図である。
【図７】封止キャップの一つの実施形態を表した外観斜視図である。
【図８】図６に示した封印カバー部材の封止孔に封止キャップを挿入して係合する封止構造を拡大して表した断面図である。
【図９】他の実施形態による主制御基板アセンブリの封印部分を主に表した正面図である。
【符号の説明】
【００８７】
１…スロットマシン                      ２…筐体
３…前扉                                ４…受皿ユニット
５…上部ランプ                          ６ａ、６ｂ…放音部
７…液晶表示ユニット                    ８…中パネル板
８ａ…表示窓                            ９ａ、９ｂ…サイドランプ
１０…リールユニット                    １０ａ、１０ｂ、１０ｃ…リール
１１…メダル投入部                      １２…ベットボタン
１３…スタートレバー                    １４ａ、１４ｂ、１４ｃ…ストップボタン
１５…下パネル                          １６…メダル払出口
１７…放音部                            ２２…フレーム
２３…ホッパーユニット                  ２４…オーバーフロータンク
２５…電源ユニット                      ３１…ＬＥＤ基板
３２ａ、３２ｂ…スピーカ                ３３…上部パネルアセンブリ
３４…冷陰極蛍光管                      ３５、３６…ランプ基板
３７…中央表示基板                      ３８…ランプハウスユニット
３９…メダルセレクタ                    ４０…下パネルユニット
４１…メダルガイド部                    ４２…フローシュート
４３…メダル払出通路                    ４４…スピーカ
１００…主制御基板                      ２００…主制御基板アセンブリ
２１０…ケース本体                      ２１１…ヒンジ軸部
２１２…係止アーム                      ２１３…カシメ開口部
２６０…ケース蓋体                      ２６１…ヒンジ軸受部
２６２…係止突起                        ２６３、２６４…カシメ開口部
２６５…本体部分                        ２６６…突出枠部
３００…取付ブラケット                  ３０１…基板部
３０２…リブ                            ３０３…支持台部
３０４…封印部                          ３０５…ネジ孔
３０６…係合凹部                        ３０７…係止アーム
３１０…カシメ開口部                    ３２０…封印シール
３２１…係合孔                          ３２２…雌ネジ部
４００…封印カバー部材                  ４０１…カバー部
４０２…係合部                          ４０３…凸レンズ
４１０…封止孔                          ４１１…ネジ孔
４５０…封止キャップ                    ４５１…本体
４５２…頭部                            ４５３…溝
４５４…係止突起                        ４５４ａ…係止面
４９０…固定ネジ                        ５００…サブ制御基板
６００…基板ケース                      ７００…係合媒体
【図１】
2007312916.tif 000003
【図２】
2007312916.tif 000004
【図３】
2007312916.tif 000005
【図４】
2007312916.tif 000006
【図５】
2007312916.tif 000007
【図６】
2007312916.tif 000008
【図７】
2007312916.tif 000009
【図８】
2007312916.tif 000010
【図９】
2007312916.tif 000011